(57)【要約】【課題】  空気調和機の冷媒量調節器において、冷媒を導入、導出する配管を固定するために部品の溶接作業が行われており、冷媒量調節器の生産性が低下するという問題があった。本発明の課題は、空気調和機の冷媒量調節器の冷媒導入管、導出管を、溶接作業なしに簡単に固定し、導入管、導出管の振動による騒音および折損を防止した上で冷媒量調節器の生産性を向上させることにある。【解決手段】  上記課題を解決するために、冷媒を導入、導出する配管を固定する部品を、周辺部品への挟み込みにより固定し、また部品を変形させることによって配管を固定して、溶接作業を不用とする。【選択図】  図２
2005308286.tif 000002
【特許請求の範囲】
【請求項１】
圧縮機・熱交換器・膨脹弁・送風機・冷媒量調節器より構成される空気調和機の冷凍サイクルにおいて、冷媒量調節器の冷媒を導入する導入管および冷媒量調節器から冷媒を導出させる導出管の冷媒量調節器内にある当該導入管，導出管の管端側を、冷媒量調節器の底板および胴体部分と管先端固定用のプレートとの嵌めあいにより、前記の導入管，導出管およびプレートを溶接することなく固定することを特徴とした、空気調和機の冷媒量調節器。
【請求項２】
請求項１に記載の空気調和機の冷媒量調節器において、冷媒の導入管および導出管の冷媒量調節器内にある当該導入管，導出管の管端側を固定するプレートと、冷媒量調節器内の液冷媒の波打ちによる液冷媒の導出不良を防止するために設けた波打ち防止プレートとを一体化したことを特徴とした、空気調和機の冷媒量調節器。
【請求項３】
請求項１および請求項２に記載の空気調和機の冷媒量調節器において、冷媒の導入管および導出管の中心軸と、冷媒の導入管および導出管の冷媒量調節器内にある当該導入管，導出管の管端側を固定するプレートに設けた、導入管および導出管を固定するための穴の中心軸とで形成する角度が５°から１０°の範囲であることを特徴とした、空気調和機の冷媒量調節器。
【発明の詳細な説明】
【技術分野】
【０００１】
本発明は、空気調和機の冷媒量調節器に関する。
【背景技術】
【０００２】
空気調和機では、冷凍サイクル内の余剰冷媒を貯留するために冷媒量調節器を配置することがある。冷媒は液体の状態で貯留されるが、空気調和機の運転条件（冷房、暖房）および運転状態により余剰となる冷媒の量が変動するため、余剰となる冷媒量を予測して冷媒量調節器の容積を決定する必要がある。
【０００３】
一方空気調和機は、その設置場所の制約から設置面積を小さくするために、製品寸法の小型化が図られる傾向にある。製品寸法の小型化に伴い空気調和機を構成する部品も小型化する必要があるが、冷媒量調節器には必要容積を確保してかつ製品寸法の小型化に対応するため、直径を細く、長さを長くする手法が取られることがある。
【０００４】
冷媒量調節器に冷媒を導入する導入管および冷媒を導出する導出管は、一端を冷媒量調節器のキャップ部分に溶接等で固定される。導入管および導出管の冷媒量調節器内の管端は、特に拘束されずに自由端となることが多い。例えば特開平１０−１１１０４７号公報にて示される冷媒量調節器（受液器）では、冷媒の導入管および導出管の冷媒量調節器内にある当該導入管，導出管の管端側は、拘束されずに自由端となっている。
【０００５】
導入管および導出管の冷媒量調節器内の管端が拘束されずに自由端となっている場合、冷媒の流入、流出時の流体力により管が振動することがある。
【０００６】
この振動は導入管、導出管の長さが長いほど顕著となり、また導入管、導出管の径が細いほど顕著となる。この振動が騒音の発生および導入管、導出管の折損につながるため、導入管および導出管の冷媒量調節器内の管端を何らかの方法で固定する必要がある。
【０００７】
図１は従来の冷媒量調節器の断面図であり、導入管、導出管の固定方法の一例を示すものである。
【０００８】
ボディ１と蓋面キャップ２、底面キャップ３で容器を構成し、蓋面キャップ２にあけた穴に冷媒の導入管４、導出管５を挿入して冷媒の導入、導出を実現する。
【０００９】
導入管４、導出管５は、一方を蓋面キャップ２に溶接して固定する。他方には固定板６を溶接し、さらに底面キャップ３に溶接した液面変動防止板７と固定板６とを溶接して固定する。このように導入管，導出管を固定することにより、導入管、導出管の振動による騒音の発生および折損を防止している。
【００１０】
上述した従来の冷媒量調節器では、導入管４、導出管５と固定板６の溶接、固定板６と液面変動防止板７との溶接、および液面変動防止板７と底面キャップ３との溶接と、溶接作業が多くなり、冷媒量調節器の生産性が低下することが問題となっていた。
【００１１】
【特許文献１】特開平１０−１１１０４７号公報
【発明の開示】
【発明が解決しようとする課題】
【００１２】
本発明が解決しようとする課題は、上述の図１のような従来の空気調和機の冷媒量調節器において、冷媒の導入管、導出管を固定するために多くの溶接作業が発生することにより、冷媒量調節器の生産性を低下させてしまうことである。
【課題を解決するための手段】
【００１３】
上記課題を解決するための手段として本発明では、冷媒量調節器の冷媒導入管、導出管を固定する固定板に、導入管、導出管を挿入するための穴を設ける。
【００１４】
さらに冷媒量調節器内の液冷媒面の波打ちを防止する液面変動防止板と一体化し、冷媒量調節器のボディと底面キャップの嵌めこみ部分に固定板の一部を挟みこみ、固定板を固定する構造とする。その際、底面キャップの深さ寸法と、それに対応する液面変動防止板との寸法関係を、液面変動防止板の方が長くなるように設定する。
【発明の効果】
【００１５】
本発明によれば、空気調和機の冷媒量調節器の冷媒導入管、導出管を、溶接作業なしに簡単に固定することができ、導入管、導出管の振動による騒音および折損を防止した上で冷媒量調節器の生産性を向上させることができる。
【発明を実施するための最良の形態】
【００１６】
本発明の実施の形態を以下に示す。
【００１７】
図２は、本発明に記載の構造を有する冷媒調節器の導入管、導出管の固定板兼液面変動防止板を示したものである。
【００１８】
固定板兼液面変動防止板８には、穴８aおよび８bを設ける。冷媒量調節器の組み立ての際には、この穴８a，８bに導入管４、導出管５を挿入する。
【００１９】
穴８a，８bは、バーリング穴でも良い。
【００２０】
また、固定板兼液面変動防止板８の寸法aは、ボディ１の外径と同一とする。
【００２１】
また、固定板兼液面変動防止板８の寸法bは、底面キャップ３の深さ寸法cよりも長く設定する。
【００２２】
図３は、本発明に記載の構造を有する空気調和機の冷媒量調節器の底面キャップ部を示したものである。
【００２３】
冷媒量調節器のボディ１と底面キャップ３は、ボディ１に底面キャップ３を嵌め込んだ後溶接されるが、その際固定板兼液面変動防止板８の寸法a部を挟むようにして嵌め込む。これにより、固定板兼液面変動防止板８が溶接することなしに所定の位置に取り付けられる。
【００２４】
またその際、固定板兼液面変動防止板８の寸法bが底面キャップ３の寸法cよりも長いことから、固定板兼液面変動防止板８は底面キャップ３に押され、固定板兼液面変動防止板８に設けた穴８a，８bが冷媒量調節器の軸方向の中心を向くように変形する。この変形により、穴８a，８bの軸方向と穴８a，８bに挿入された導入管４、導出管５の軸方向がずれ、穴８a，８bが導入管４、導出管５を押さえる形となる。溶接なしに導入管４、導出管５を固定することができる。この時の導入管４および導出管５の中心軸と、穴８aおよび穴８bの中心軸とでそれぞれ形成される角度θaおよびθbを５°から１０°の範囲とすることが、導入管４、導出管５の固定に有効となる。
【００２５】
また、固定板兼液面変動防止板８を変形させた状態で取り付けていることにより、反発力が働いて固定板兼液面変動防止板８が底面キャップ３に押し付けられる状態となる。そのため、固定板兼液面変動防止板８が底面キャップ３に溶接なしで固定される状態となる。
【図面の簡単な説明】
【００２６】
【図１】従来の空気調和機の冷媒量調節器の断面構造を示す説明図。
【図２】本発明の空気調和機の冷媒量調節器の冷媒導入管、導出管を固定する固定板の説明図。
【図３】本発明の空気調和機の冷媒量調節器の冷媒導入管、導出管を固定する固定板の取り付け状態を説明した図。
【符号の説明】
【００２７】
１…ボディ、２…蓋面キャップ、３…底面キャップ、４…導入管、５…導出管、６…固定板、７…液面変動防止板、８…固定板兼液面変更防止板、８a…導入管固定用穴、８b…導出管固定用穴、θa…導入管４の中心軸と導入管固定用穴８aの中心軸とが形成する角度、θb…導出管５の中心軸と導出管固定用穴８bの中心軸とが形成する角度。
【図１】
2005308286.tif 000003
【図２】
2005308286.tif 000004
【図３】
2005308286.tif 000005